(57)【要約】【課題】  耐光性及び耐オゾン性に優れ、ブラックインクとして普通紙をはじめ各種メディアに対しても優れた色相を有し、十分な発色濃度の確保と、目詰まりが少なく保存安定性にも優れた黒色水性インク組成物を提供する。【解決手段】    水と、水溶性有機溶剤と、下記式（１）：    【化１】2006225558.tif 000025で表される化合物及びその塩からなる群から選ばれる少なくとも一種の黒色染料と、補色染料として少なくともＣ．Ｉ．ダイレクトレッド８９を含み、より好ましくは、これにさらにＣ．Ｉ．ダイレクトイエロー８６及び／又はＣ．Ｉ．ダイレクトイエロー１３２を含有してなり、該補色染料を添加することによって色相が調整されていることを特徴とする黒色水性インク組成物。【選択図】なし【特許請求の範囲】
【請求項１】
水と、水溶性有機溶剤と、下記式（１）：
【化１】
2006225558.tif 000023
（前記式（１）中、Ｒ1は置換基を有するフェニル基又は置換基を有するナフチル基を表し、Ｒ2は置換基を有するフェニレン基又は置換基を有するナフチレン基を表し、Ｒ3は少なくとも１つの二重結合及び置換基を有する５〜７員環の複素環基を表す。さらに前記Ｒ1〜Ｒ3における前記置換基は独立して、ＯＨ、ＳＯ3Ｈ、ＰＯ3Ｈ2、ＣＯ2Ｈ、ＮＯ2、Ｃ１〜４のアルキル基、置換基を有するアルキル基、Ｃ１〜４のアルコキシ基、置換基を有するアルコキシ基、置換基を有するアミノ基、及び置換基を有するフェニル基からなる群から選ばれる。）
で表される化合物及びその塩からなる群から選ばれる少なくとも一種の黒色染料と、補色染料として少なくともＣ．Ｉ．ダイレクトレッド８９を含み、該補色染料を添加することによって色相が調整されていることを特徴とする黒色水性インク組成物。
【請求項２】
前記補色染料として、さらにＣ．Ｉ．ダイレクトイエロー８６及び／又はＣ．Ｉ．ダイレクトイエロー１３２を含むことを特徴とする請求項１に記載の黒色水性インク組成物。
【請求項３】
前記式（１）で表される化合物が以下の式（２）：
【化２】
2006225558.tif 000024
（前記式（２）中、Ｒ1〜Ｒ9は独立して、Ｈ、ＳＯ3Ｈ、ＰＯ3Ｈ2、ＣＯ2Ｈ及びＮＯ2からなる群から選ばれる基を表す。）
で表される化合物であることを特徴とする請求項１または２に記載の黒色水性インク組成物。
【請求項４】
前記黒色染料が前記黒色水性インク組成物の総重量に対して０．５〜１２．０重量％含まれていることを特徴とする請求項１〜３のいずれか１項に記載の黒色水性インク組成物。
【請求項５】
前記Ｃ．Ｉ．ダイレクトレッド８９が前記黒色水性インク組成物の総重量に対して０．０２〜３．５重量％含まれていることを特徴とする請求項１〜４のいずれか一項に記載の黒色水性インク組成物。
【請求項６】
Ｃ．Ｉ．ダイレクトイエロー８６及び／又はＣ．Ｉ．ダイレクトイエロー１３２が前記黒色水性インク組成物の総重量に対して０．０２〜２．５重量％含まれていることを特徴とする請求項１〜５のいずれか一項に記載の黒色水性インク組成物。
【請求項７】
前記黒色染料と前記Ｃ．Ｉ．ダイレクトレッド８９とを１５：１〜１０：４の重量比で含むことを特徴とする請求項１〜６のいずれか一項に記載の黒色水性インク組成物。
【請求項８】
前記黒色染料と前記Ｃ．Ｉ．ダイレクトイエロー８６及び／又はＣ．Ｉ．ダイレクトイエロー１３２とを２０：１〜１０：３の重量比で含むことを特徴とする請求項１〜７のいずれか一項に記載の黒色水性インク組成物。
【請求項９】
前記黒色インク組成物中にノニオン系界面活性剤を含むことを特徴とする請求項１〜８のいずれか１項に記載の黒色水性インク組成物。
【請求項１０】
前記ノニオン系界面活性剤が、アセチレングリコール系界面活性剤であることを特徴とする請求項９に記載の黒色水性インク組成物。
【請求項１１】
前記ノニオン系界面活性剤を０．１〜５重量％含むことを特徴とする請求項９または１０に記載の黒色水性インク組成物。
【請求項１２】
前記黒色インク組成物中に浸透促進剤を含むことを特徴とする請求項１〜１１に記載の黒色水性インク組成物。
【請求項１３】
前記浸透促進剤がグリコールエーテル類であることを特徴とする請求項１２に記載の黒色水性インク組成物。
【請求項１４】
請求項１〜１３のいずれか一項に記載の黒色水性インク組成物を細いノズルより液滴として吐出させ、前記液滴を記録媒体に付着させることを特徴とするインクジェット記録方法。
【請求項１５】
請求項１４に記載のインクジェット記録方法によって印刷されたことを特徴とする記録物。
【発明の詳細な説明】
【技術分野】
【０００１】
本発明は、インクジェット記録に好適に用いることができ、保存安定性に優れ、しかも優れた色相を有する黒色水性インク組成物、そのインク組成物を用いたインクジェット記録方法、及びその記録方法によって記録された記録物に関する。
【背景技術】
【０００２】
インクジェット記録方法は、細いノズルからインク組成物を小滴として吐出し、文字や画像を記録媒体表面に付着させて記録する公知の方法である。実用化されているインクジェット記録方法としては、(ｉ) 電歪素子を用いて電気信号を機械信号に変換し、ノズルヘッド部分に貯えたインク組成物をこの機械信号によって断続的にノズルヘッドから吐出して記録媒体表面にインク組成物を付着させて文字や画像を記録する方法、（ｉｉ）ノズルヘッドの吐出部にごく近い一部分を急速に加熱し、ノズルヘッド部分に貯えたインク組成物中に泡を発生させ、その泡の体積膨張によってインク組成物をノズルヘッドから断続的に吐出して記録媒体表面にインク組成物を付着させて文字や画像を記録する方法等がある。
【０００３】
インクジェット記録方法に用いられるインク組成物は、各種染料を水または有機溶剤、あるいはそれらの混合液に溶解させた溶液が一般的であり、しかもこのインク組成物には、万年筆及びボールペン等の筆記具用のインクに比べて高い安全性及び良好な印字特性が要求される。
【０００４】
さらに近年、広告用の印刷物の作成にインクジェットプリンタが採用されるようになってきており、水性インク組成物を用いたインクジェット記録方法によって作成された印刷物は、室内のほかに室外にも設置される。したがって、太陽光及び／または種々の光源からの光、並びに大気中に含まれるオゾン、窒素酸化物、及び硫黄酸化物等の化学物質に晒されることにより、印刷物の画質が経時に劣化しないことが必要となっている。この要求に対し、イエロー、マゼンタ、シアン等のカラーインクに対する検討が種々行われてきている。ブラックインクに関しては、画像の中における使用率の低さやその染料濃度の高さにより、インク自身の堅牢度がカラーインクに比べて高いこと等から開発が遅れていた。しかし、ブラックインクは、画像中において画像のコントラストを得るといった観点から重要であり、カラーインクの特性向上と相まって、近年開発が加速されている。
【０００５】
このような状況の下、染料を着色剤として用いたインク組成物の耐ガス性、特に耐オゾン性を改善可能な染料として、例えば、下記構造のジスアゾ系の染料が知られている（例えば、特許文献１及び特許文献２参照）。
【０００６】
【化１】
2006225558.tif 000002
【０００７】
【化２】
2006225558.tif 000003
【０００８】
しかしながら、前記染料を用いたインク組成物でも耐光性及び耐オゾン性等が不十分であり、印刷物が光及びオゾン等にさらされることによって印刷物の画質が経時的に劣化、たとえば退色するという問題があった。
【０００９】
【特許文献１】特開平３−２２９７７０号公報
【特許文献２】特開平３−９１５７６号公報
【発明の開示】
【発明が解決しようとする課題】
【００１０】
上述のとおり、耐光性及び耐オゾン性に優れた黒色水性インク組成物が求められている一方で、黒色水性インク組成物には、色相が所望する色相、例えばニュートラル（無彩色
）であることや、十分な発色濃度が確保でき、目詰まりが少なく、インク組成物自身が優れた保存安定性を有していることも求められている。
【００１１】
本発明は、耐光性及び耐オゾン性に優れ、長期間にわたって高品質な画像を保つことができる印刷物を作成することが可能であり、しかも、ブラックインクとして優れた色相を有する黒色水性インク組成物、さらに、十分な発色濃度の確保と普通紙に対しても優れた色相を有し、目詰まりが少なくインクとしての保存安定性にも優れた黒色水性インク組成物を提供するとともに、そのインク組成物を用いたインクジェット記録方法、及びそのインクジェット記録方法によって記録された記録物を提供しようとするものである。
【課題を解決するための手段】
【００１２】
本発明者は各種黒色染料の色調調整のために、該黒色染料に種々の補色染料を添加した多数の黒色水性インク組成物を調製し、その特性について鋭意検討の結果、特に下記式（１）で表される化合物及び／またはその塩からなる黒色染料に特定の補色染料を含有させた黒色水性インク組成物が、黒色インクとしての優れた発色濃度を確保し、該補色染料の配合比の調整により、普通紙をはじめとして各種メディアに対しての色相が改良される上に、インク保存安定性や目詰まり信頼性も確保されて、前記本発明の課題が達成され得ることを見いだし本発明に到った。
【００１３】
本発明の黒色水性インク組成物は、水と、水溶性有機溶剤と、
下記式（１）：
【化３】
2006225558.tif 000004
（前記式（１）中、Ｒ1は置換基を有するフェニル基又は置換基を有するナフチル基を表し、Ｒ2は置換基を有するフェニレン基又は置換基を有するナフチレン基を表し、Ｒ3は少なくとも１つの二重結合及び置換基を有する５〜７員環の複素環基を表す。さらに前記Ｒ1〜Ｒ3における前記置換基は独立して、ＯＨ、ＳＯ3Ｈ、ＰＯ3Ｈ2、ＣＯ2Ｈ、ＮＯ2、Ｃ１〜４のアルキル基、置換基を有するアルキル基、Ｃ１〜４のアルコキシ基、置換基を有するアルコキシ基、置換基を有するアミノ基、及び置換基を有するフェニル基からなる群から選ばれる。）
で表される化合物及びその塩からなる群から選ばれる少なくとも一種の黒色染料と、補色染料として少なくともＣ．Ｉ．ダイレクトレッド８９を含み、該補色染料を添加することによって色相が調整されていることを特徴とするものである。
【００１４】
本発明の前記黒色水性インク組成物は、前記補色染料として、さらにＣ．Ｉ．ダイレクトイエロー８６及び／又はＣ．Ｉ．ダイレクトイエロー１３２を含むことが好ましい。
また、本発明の前記黒色水性インク組成物は、前記式（１）で表される化合物が以下の式（２）：
【化４】
2006225558.tif 000005
（前記式（２）中、Ｒ1〜Ｒ9は独立して、Ｈ、ＳＯ3Ｈ、ＰＯ3Ｈ2、ＣＯ2Ｈ及びＮＯ2からなる群から選ばれる基を表す。）
で表される化合物であることが好ましい。
【００１５】
本発明の前記黒色水性インク組成物は、前記黒色染料が前記黒色水性インク組成物の総重量に対して０．５〜１２．０重量％含まれていることが好ましい。
本発明の前記黒色水性インク組成物は、前記Ｃ．Ｉ．ダイレクトレッド８９が前記黒色水性インク組成物の総重量に対して０．０２〜３．５重量％含まれていることが好ましい。
【００１６】
本発明の前記黒色水性インク組成物は、Ｃ．Ｉ．ダイレクトイエロー８６及び／又はＣ．Ｉ．ダイレクトイエロー１３２が前記黒色水性インク組成物の総重量に対して０．０２〜２．５重量％含まれていることが好ましい。
また、本発明の前記黒色水性インク組成物は、前記黒色染料と前記Ｃ．Ｉ．ダイレクトレッド８９とを１５：１〜１０：４の重量比で含むことが好ましい。
さらにまた、本発明の前記黒色水性インク組成物は、前記黒色染料と前記Ｃ．Ｉ．ダイレクトイエロー８６及び／又はＣ．Ｉ．ダイレクトイエロー１３２とを２０：１〜１０：３の重量比で含むことが好ましい。
【００１７】
本発明の前記黒色水性インク組成物は、前記黒色インク組成物中にノニオン系界面活性剤を含むことが好ましい。
【００１８】
また本発明の前記黒色水性インク組成物は、前記ノニオン系界面活性剤が、アセチレングリコール系界面活性剤であることが好ましい。
さらにまた本発明の黒色水性インク組成物は、前記ノニオン系界面活性剤を０．１〜５重量％含むことが好ましい。
【００１９】
本発明の前記黒色水性インク組成物は、前記黒色インク組成物中に浸透促進剤を含むことが好ましい。
また本発明の前記黒色水性インク組成物は、前記浸透促進剤がグリコールエーテル類であることが好ましい。
【００２０】
本発明のインクジェット記録方法は、前記本発明の黒色水性インク組成物を細いノズルより液滴として吐出させ、前記液滴を記録媒体に付着させることを特徴とするものである。
【００２１】
本発明の記録物は、前記インクジェット記録方法によって印刷されたことを特徴とするものである。
【００２２】
本発明の黒色水性インク組成物は、前記組成式（１）で表される特定の化学構造を有する黒色染料と、この黒色染料を用いたインクの色相を調整するため、少なくともＣ．Ｉ．ダイレクトレッド８９を特定量、補色染料として該黒色水性インク組成物に含有させることによって、普通紙をはじめとして各種メディアに印刷した場合にも黒色水性インク組成物の色相を所望する色相に調整することができる。それに加えて目詰まりが少なく、十分な発色濃度が確保され、インクとしての保存安定性にも優れる。さらに本発明の黒色水性インク組成物を用いて印刷された画像は、耐光性及び耐オゾン性に優れる。
【発明を実施するための最良の形態】
【００２３】
本発明者らは、前記組成式（１）で表される特定の化学構造を有する黒色染料と、この特定黒色染料の色相を調整するための特定の染料（補色染料）とを含む黒色水性インク組成物が、優れた色相を有し、かつ、この黒色水性インク組成物を用いることによって、耐光性及び耐オゾン性に優れた画像を有する印刷物が得られるのに加えて、インクの保存安定性及び目詰まり性に優れることを見出した。本発明は、これらの知見に基づいて完成したものである。
【００２４】
本発明の黒色水性インク組成物（以下、「ブラックインク組成物」とも記す。）は、水、または水と水溶性有機溶剤からなる水性媒体中に、下記の式（１）：
【化５】
2006225558.tif 000006
で表される化合物及び式（１）で表される化合物の塩からなる群（以下、あわせて「式（１）の染料」という。）から選ばれる一種以上を含有するとともに、式（１）の染料の色相を調整するために、式（１）の染料以外の下記の特定の補色染料を必須成分として含むものである。
【００２５】
前記式（１）中、Ｒ1は置換基を有するフェニル基または置換基を有するナフチル基を表す。さらに式（１）中、Ｒ2は置換基を有するフェニレン基または置換基を有するナフチレン基を表す。さらに式（１）中、Ｒ3は少なくとも１つの二重結合及び置換基を有する５〜７員環の複素環基を表す。さらにＲ1〜Ｒ3における前記置換基は独立して、ＯＨ、ＳＯ3Ｈ、ＰＯ3Ｈ2、ＣＯ2Ｈ、ＮＯ2、Ｃ１〜４のアルキル基、置換されたアルキル基、Ｃ１〜４のアルコキシ基、置換されたアルコキシ基、置換されたアミノ基、及び置換されたフェニル基からなる群から選ばれる基を表す。
【００２６】
さらに前記の置換されたアルキル基は、ＯＨ、ＳＯ3Ｈ、ＰＯ3Ｈ2及びＣＯ2Ｈ基からなる群から選ばれた１種以上の基で置換されたＣ１〜４のアルキル基から選ばれることが好ましい。また、前記の置換されたアルコキシ基は、ＯＨ、ＳＯ3Ｈ、ＰＯ3Ｈ2及びＣＯ2Ｈからなる群から選ばれる１種以上の基で置換されたＣ１〜４のアルコキシ基から選ばれることが好ましい。また、前記の置換されたアミノ基は、ＯＨ、ＳＯ3Ｈ、ＰＯ3Ｈ2及びＣＯ2Ｈからなる群から選ばれた１種以上の基で置換されたＣ１〜４のアルキル基を１つまたは２つ有するアミノ基からなる群から選ばれることが好ましい。また、前記の置換基されたフェニル基は、ＯＨ、ＳＯ3Ｈ、ＰＯ3Ｈ2、ＣＯ2Ｈ、Ｃ１〜４のアルキル基、及び置換されたＣ１〜４のアルキル基からなる群から選ばれる置換基を１つまたは２つ有するフェニル基からなる群から選ばれることが好ましい。
【００２７】
さらに本発明に用いる前記式（１）で表される化合物としては、以下の式（２）：
【化６】
2006225558.tif 000007
（式（２）中、Ｒ1〜Ｒ9は独立して、Ｈ、ＯＨ、ＳＯ3Ｈ、ＰＯ3Ｈ2、ＣＯ2Ｈ、ＮＯ2及びＮＯ2からなる群から選ばれる基を表す。）
で表される化合物であることが特に好ましい。
【００２８】
本発明のインク組成物に用いる式（１）で表される化合物としては、以下の式（３）〜式（９）で表される化合物が特に好ましい。
【００２９】
【化７】
2006225558.tif 000008
【００３０】
【化８】
2006225558.tif 000009
【００３１】
【化９】
2006225558.tif 000010
【００３２】
【化１０】
2006225558.tif 000011
【００３３】
【化１１】
2006225558.tif 000012
【００３４】
【化１２】
2006225558.tif 000013
【００３５】
【化１３】
2006225558.tif 000014
【００３６】
本発明のインク組成物に用いる前記式（１）又は式（２）で表される化合物は、好ましい方法を用いて適宜合成することができるが、例えば各化合物において３つのアゾ基によって結合されている４つの対応する各構造を有するビルディングブロックをアゾカップリングによって結合することによって合成することができる。すなわち、たとえば式（１）で表されるジヒドロキシナフタレン骨格部分をＱで表すと、式（１）の化合物は、Ｒ3Ｎ＝Ｎ−Ｒ2−Ｎ＝Ｎ−Ｑ−Ｎ＝Ｎ−Ｒ1で表すことができる。この化合物を合成する一つの具体的な方法を模式的に示すと、まずＲ1−ＮＨ2をジアゾ化して得られたジアゾニウム塩をＱＨと反応させてＲ1−Ｎ＝Ｎ−ＱＨとする。次にＣＨ3ＣＯＮ−Ｒ2−ＮＨ2をジアゾ化して得られる化合物とＲ1−Ｎ＝Ｎ−ＱＨをカップリングさせてＲ1−Ｎ＝Ｎ−Ｑ−Ｎ＝Ｎ−Ｒ2ＮＣＯＣＨ3を合成する。この化合物のアセチル基を除去してアミノ基としてからジアゾ化し、続いてＲ3ＨとカップリングさせてＲ1−Ｎ＝Ｎ−Ｑ−Ｎ＝Ｎ−Ｒ2−Ｎ＝Ｎ−Ｒ3が合成できる。
【００３７】
さらに合成の具体例として前記式（３）で表される化合物の合成例を以下に説明する。
５−アセチルアミノ−２−アミノベンゼンスルホン酸（２３．０ｇ、０．１０モル）を濃硝酸（３０ｍｌ）を含む水（３００ｍｌ）に添加した。亜硝酸ナトリウム（６．９ｇ）を０〜５℃の温度で１０分かけて加えた。６０分後、過剰の亜硝酸を分解し、得られたジアゾニウム塩溶液を、５〜１０℃、ｐＨ８〜９を維持しながらゆっくりと、水（５００ｇ）に溶解しておいた１，８−ジヒドロキシナフタレン−３，６−ジスルホン酸（３２．０ｇ、０．１０モル）の溶液に添加した。この反応が定量的に進行したことは、ＨＰＬＣにより確認できた。これによってカップリング生成物を含む溶液（染料ベースという）が得られた。
【００３８】
次に５−ニトロ−２−アミノベンゼンスルホン酸（４３．６ｇ、０．２０モル）を、濃塩酸（６０ｇ）を含む水（５００ｇ）に添加した。亜硝酸ナトリウム（１３．８ｇ）を０〜５℃の温度で１５分かけて加えた。６０分後、得られたジアゾニウム塩溶液を、５〜１０℃、ｐＨ６〜７を維持しながら１２０分かけて、あらかじめテトラヒドロフラン（１０００ｇ）を添加しておいた前記染料ベースに添加した。５時間後、生成した沈殿物を集め、乾燥器で乾燥させると、暗赤色の固形物が得られた（５５．３ｇ）。この暗赤色の固形物を水（１０００ｍｌ）に溶解させて、８０℃まで加熱した。水酸化ナトリウム（１０ｇ）を加え、さらに８時間温度を８０℃に保った。８時間後、濃塩酸を用いてｐＨ７〜８に調節し、溶液を放冷して室温にまで下げた。この溶液をVisking（商標）チュービングを用いて透析（５０μＳｃｍ-1未満）してから、フィルタを用いて濾過し、乾燥器で乾燥させると４７．２ｇの黒色固形物が得られた。
【００３９】
前記で得られた黒色固形物をｐＨ７〜９で水に再溶解させたが、ｐＨの調整には水酸化リチウムを用いた。次いで亜硝酸ナトリウム（８．３ｇ）を加え、１０分間攪拌した。それから、この染料／亜硝酸塩の溶液を、濃塩酸（３０ｇ）を含む氷水（１００ｍｌ）中に移した。放置すると温度は１５〜２５℃に上昇したが、そのまま３時間おいた。得られたジアゾジウム塩溶液を、１５〜２０℃、ｐＨ６〜７を維持しながら１２０分かけて、１−（４−スルホフェニル）−３−カルボキシ−５−ピラゾロン（１７．９ｇ、０．０６モル）の溶液に加えた。このｐＨは水酸化リチウムを添加することによって維持した。次いでこの溶液をVisking（商標）チュービングを用いて透析（５０μＳｃｍ-1未満）し、さらにフィルタを用いて濾過し、乾燥器で乾燥させると６０．０ｇの前記式（３）で表される化合物が黒色固形物として得られた。
【００４０】
本発明のブラックインク組成物に用いるための前記式（１）で表される化合物の塩としては、式（１）で表される化合物がＯＨ、ＳＯ3Ｈ、ＰＯ3Ｈ2基等のプロトン酸基を有する場合に、そのプロトン酸基のアルカリ金属塩、例えばリチウム塩、ナトリウム塩、及びカリウム塩が好ましく、特にリチウム塩及びナトリウム塩が好ましい。式（１）で表される化合物のアルカリ金属塩を用いることによって、優れた保存安定性を有するブラックインク組成物を得ることができる。
【００４１】
本発明のブラックインク組成物に用いる式（１）の染料は、それ自身では色相が完全にニュートラル、すなわち無彩色ではなく、一般に青味を帯びた色相を有する。本発明においては、ブラックインク組成物に式（１）の染料以外に補色染料として所定量のＣ．Ｉ．ダイレクトレッド８９を、またより好ましくは、さらにこれにＣ．Ｉ．ダイレクトイエロー８６及び／又はＣ．Ｉ．ダイレクトイエロー１３２を添加することによって式（１）の染料を用いたブラックインクの有する色相を調整する。一般には、ブラックインク組成物の色相は無彩色であることが好まれるため、色相を無彩色に調整することが特に好ましいが、所望により無彩色以外の色相に調整することもできる。本発明においては、式（１）の染料とＣ．Ｉ．ダイレクトレッド８９を加え、また必要に応じてさらにこれにＣ．Ｉ．ダイレクトイエロー８６及び／又はＣ．Ｉ．ダイレクトイエロー１３２を補色染料としてそれぞれ特定量添加、混合することによって、ブラックインク組成物の色相を所望の色相に調整する。このような染料を用いて得られる、本発明のブラックインク組成物は、印字物（記録物）の画像保存性に優れ、保存安定性が良好である上、十分な発色濃度が得られるという効果を奏する。また、この補色染料は、水性溶媒に容易に溶解できるため、インクの目詰まりが改善される上にインクの保存安定性が確保されるという効果がある。
【００４２】
本発明のブラックインク組成物において用いられる、前記の式（１）の染料以外の補色染料は、式（１）の染料と異なる色相を有する、オレンジ染料及びイエロー染料である。この式（１）の染料以外の前記各補色染料の所定量を前記の式（１）の染料に添加してブラックインク組成物と添加することにより、ブラックインク組成物を所望する色相にする。式（１）の染料が一般に青味を帯びているため、ブラックインク組成物の色相をニュートラルにするためには、前記オレンジ染料及びイエロー染料をブラックインク組成物に添加して色相を調整する。
【００４３】
次に本発明のブラックインク組成物の色相を調整するためにブラック染料に添加する補色染料のオレンジ染料及びイエロー染料について説明する。
本発明において補色染料として用いるＣ．Ｉ．ダイレクトレッド８９はオレンジ系の色相を有し、一級アミノ基を有さず、しかもアンモニウム塩でなく、かつ、有機カチオンとの塩でもない染料である。
この染料は水溶性が室温において８ｗｔ％以上である。
【００４４】
また、本発明において補色染料として所望によりＣ．Ｉ．ダイレクトレッド８９とともに用いるＣ．Ｉ．ダイレクトイエロー８６及び／又はＣ．Ｉ．ダイレクトイエロー１３２も、前記のＣ．Ｉ．ダイレクトレッド８９と同様、一級アミノ基を有さず、しかもアンモニウム塩でなく、かつ、有機カチオンとの塩でもない染料である。なお、Ｃ．Ｉ．ダイレクトイエロー１３２の室温での水溶性は、約８ｗｔ％であり、Ｃ．Ｉ．ダイレクトイエロー８６の室温での水溶性は、約５ｗｔ％である。
【００４５】
次に本発明のブラックインク組成物中に含有させる染料の量について説明する。本発明
のブラックインク組成物は、黒色染料として前記式（１）の染料の少なくとも一種を含む
ほか、色相を調整するために式（１）の染料以外に補色染料として、前記Ｃ．Ｉ．ダイレ
クトレッド８９を含み、さらに必要に応じてＣ．Ｉ．ダイレクトイエロー８６及び／又はＣ．Ｉ．ダイレクトイエロー１３２を含むが、この場合、本発明のブラックインク組成物に含有させる式（１）の染料以外の前記補色染料の量は、ブラックインク組成物の色相を所望の色相に調整できるように適宜決定することができる。ただし、一般には以下に示す量で染料を用いることが好ましい。
【００４６】
本発明のブラックインク組成物中には、黒色染料として前記式（１）の染料の少なくとも一種を含有させるが、前記式（１）の染料が合計で、ブラックインク組成物の総重量に対して０．５〜１２．０重量％含まれることが好ましく、１．０〜１０．０重量％含まれることがさらに好ましい。ブラックインク組成物中に含まれる式（１）の染料の合計量が０．５重量％以上の場合、そのインク組成物を用いて記録媒体に画像等を記録したときに、充分良好な発色、及び高い画像濃度を得ることができる。また、ブラックインク組成物中に含まれる式（１）の染料の含有量を１２．０重量％以下にすることにより、そのインク組成物の粘度を好ましい値に調節することができ、またインクジェットヘッドからのインク組成物の吐出量を安定化することができ、さらにインクジェットヘッドの目詰まりを防止することができる。
【００４７】
本発明のブラックインク組成物に含有させるＣ．Ｉ．ダイレクトレッド８９はブラックインク組成物の総重量に対して０．０２〜３．５重量％含有させることが好ましく、０．１〜２．５重量％含有させることがさらに好ましい。
【００４８】
本発明のブラックインク組成物に含有させるＣ．Ｉ．ダイレクトイエロー８６及び／又はＣ．Ｉ．ダイレクトイエロー１３２は、ブラックインク組成物の総重量に対して０．０２〜２．５重量％含有させることが好ましく、０．１〜２．０重量％含有させることがさらに好ましい。
【００４９】
また、本発明のブラックインク組成物に黒色染料として式（１）の染料の少なくとも一種とともに前記Ｃ．Ｉ．ダイレクトレッド８９を含有させる際、ブラックインク組成物中に前記黒色染料と前記Ｃ．Ｉ．ダイレクトレッド８９とを１５：１〜１０：４の重量比で含有させることが、ブラックインク組成物として好しい色相が得られるという点から好ましい。
【００５０】
さらに、本発明のブラックインク組成物に黒色染料として式（１）の染料の少なくとも
一種とともに前記Ｃ．Ｉ．ダイレクトイエロー８６及び／又はＣ．Ｉ．ダイレクトイエロー１３２を含有させる際、ブラックインク組成物中に前記黒色染料と前記Ｃ．Ｉ．ダイレクトイエロー８６及び／又はＣ．Ｉ．ダイレクトイエロー１３２とを２０：１〜１０：３の重量比で含有させることが、ブラックインク組成物として好ましい色相が得られるという点から好ましい。
【００５１】
なお、本発明のブラックインク組成物においては、前記式（１）の染料の少なくとも一種とともに含有させる補色染料としては、前記Ｃ．Ｉ．ダイレクトレッド８９に加えて前記Ｃ．Ｉ．ダイレクトイエロー８６及び／又はＣ．Ｉ．ダイレクトイエロー１３２を含有させることが所望の色調に調整する上でより好ましい。その場合、ブラックインク組成物中における、式（１）の染料の少なくとも一種の黒色染料と、Ｃ．Ｉ．ダイレクトレッド８９と、前記Ｃ．Ｉ．ダイレクトイエロー８６及び／又はＣ．Ｉ．ダイレクトイエロー１３２との含有重量比は、得られるブラックインク組成物の所望とする色調に応じて、黒色染料：Ｃ．Ｉ．ダイレクトレッド８９の重量比が１５：１〜１０：４であり、かつ、黒色染料：Ｃ．Ｉ．ダイレクトイエロー８６及び／又はＣ．Ｉ．ダイレクトイエロー１３２の重量比が２０：１〜１０：３となる範囲内において適宜選択される。
【００５２】
本発明のブラックインク組成物は前記式（１）の染料の少なくとも一種及び色相を調整するための補色染料（Ｃ．Ｉ．ダイレクトレッド８９、さらにはＣ．Ｉ．ダイレクトイエロー８６及び／又はＣ．Ｉ．ダイレクトイエロー１３２）を、水を含む溶媒中に溶解して製造することができる。本発明のインク組成物に用いる溶剤としては、水、または水と水溶性有機溶剤との混合物が好ましい。本発明に用いる水溶性有機溶剤としては、ジメチルホルムアミド、ジメチルアセトアミド等のアミド類；アセトン、ジアセトンアルコール等のケトンまたはケトアルコール類；テトラヒドロフラン、ジオキサン等のエーテル類；エチレングリコール、プロピレングリコール、１，５−ペンタンジオール、トリエチレングリコール、ジエチレングリコール等のアルキレングリコール類；グリセリン；ポリエチレングリコール、ポリプロピレングリコール等のポリアルキレングリコール類；メチルアルコール、エチルアルコール、ｎ−プロピルアルコール、ｎ−ブチルアルコール等のアルキルアルコール類；尿素；及び、２−ピロリドン、スルフォラン、ピロリドン、Ｎ−メチル−２−ピロリドン、１，３−ジメチル−２−イミダゾリジノン等の極性有機溶媒からなる群から選ばれる一種以上が例示できる。本発明に用いる水溶性有機溶剤は、常温において水より蒸気圧が小さいものが好ましい。
【００５３】
インク組成物の記録媒体への浸透性を高めることができること、及びカラー印刷を行う場合に本発明のブラックインクとそれに隣接するカラーインクとが接する境界においてインクがにじみにくくなることによって非常に鮮明な画像が得られることから、浸透促進剤としてグリコールエーテル系水溶性有機溶剤を本発明のブラックインク組成物に含有させることが特に好ましい。本発明で用いるグリコールエーテル系水溶性有機溶剤としては、例えば、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が好ましい。
【００５４】
本発明のブラックインク組成物にグリコールエーテル系水溶性有機溶剤を含有させる場合、ブラックインク組成物中に含まれるグリコールエーテル系水溶性有機溶剤の割合は特に限定されるものではなく、当業者は本発明の効果を損なわないように適宜その割合を定めることができる。ただし、本発明のブラックインク組成物は、グリコールエーテル系水溶性有機溶剤を３〜３０重量％含有することが好ましく、５〜２０重量％含有することがさらに好ましい。ブラックインク組成物に含まれるグリコールエーテル系水溶性有機溶剤の量を３重量％以上にすることによって記録媒体へのインクの浸透性を高めることができ、さらにカラー印刷においては、本発明のブラックインクによって形成された画像とカラーインクによって形成された画像との境界で、インクのにじみ（ブリーディング）を生じにくくすることができる。また、ブラックインク組成物に含まれるグリコールエーテル系水溶性有機溶剤の量を３０重量％以下にすることによって、そのブラックインク組成物を用いて記録媒体上に形成した画像をにじみにくくできること加え、ブラックインク組成物が分離することなく均一な状態に保つことができる。ブラックインク組成物が分離する場合は、用いたグリコール系水溶性有機溶剤を水に溶解してブラックインク組成物を均一にするための溶解助剤を添加することが必要になり、溶解助剤の添加によってブラックインク組成物の粘度が高くなるため、インクジェットヘッドではブラックインク組成物の吐出が困難になる場合がある。なお、前記グリコールエーテル系水溶性有機溶剤は１種のみを用いること、及び２種以上を併用することができる。
【００５５】
本発明のブラックインク組成物には、さらに界面活性剤を添加することができる。本発明に用いる界面活性剤としてはノニオン系界面活性剤が好ましい。ノニオン系界面活性剤を本発明のブラックインク組成物に添加すると、ブラックインク組成物が記録媒体に速やかに浸透かつ定着されやすくなり、しかもインクジェット方法により記録媒体上に吐出された一滴のインクによって形成される像の形状を真円に近いものにすることができることにより、得られる画像の画質を高めることができる。
【００５６】
含有させるノニオン界面活性剤としては、例えばアセチレングリコール系界面活性剤を用いることが好ましいが、これに限定されるものではない。本発明のブラックインク組成物に用いるアセチレングリコール系界面活性剤としては、特に以下の式（１０）：
【化１４】
2006225558.tif 000015
（式（１０）中、Ｒ1、Ｒ2、Ｒ3、及びＲ4はそれぞれ独立して、Ｃ１〜Ｃ６の直鎖、環式又は分枝アルキル鎖を表し、さらにＡ1Ｏ及びＡ2Ｏはそれぞれ独立してＣ２〜Ｃ３のオキシアルキレン鎖、例えばオキシエチレンまたはオキシプロピレン、またはＣ２〜Ｃ３のアルキレンオキサイドが重合または共重合して得られるポリオキシアルキレン鎖、例えばポリオキシエチレン鎖、ポリオキシプロピレン鎖、もしくはポリオキシエチレンプロピレン鎖を表す。また式中、ｎ及びｍはＡ1ＯまたはＡ2Ｏ単位、すなわちオキシアルキレンの繰り返し数を表し、０≦ｎ＜３０、０≦ｍ＜３０、及び０≦ｎ＋ｍ＜５０を満たす数である。）で表される化合物を用いることが好ましい。このアセチレングリコール系界面活性剤としては、例えば、サーフィノール４６５（商標）、サーフィノール１０４（商標）（以上商品名、Air Products and Chemical社製）、オルフィンＳＴＧ（商標）、オルフィンＥ１０１０（商標）（以上商品名、日信化学工業株式会社製）を例示することができ、これらから選ばれる一種以上を本発明のブラックインク組成物に添加することが好ましい。
【００５７】
本発明においては、ブラックインク組成物中に例えば前記の界面活性剤が、好ましくは０．１〜５重量％、さらに好ましくは０．５〜２重量％含まれるように、ブラックインク組成物に界面活性剤を添加するのがよい。ブラックインク組成物に対して界面活性剤を０．１重量％以上含有させることによって、記録媒体に対するインク組成物の浸透性を高くすることができる。またブラックインク組成物に含有される界面活性剤の量を５重量％以下にすることにより、ブラックインク組成物によって記録媒体上に形成された画像がにじみにくいという効果が得られる。
【００５８】
本発明のブラックインク組成物には、さらに所望により、保湿剤、粘度調整剤、ｐＨ調整剤、及びブラックインク組成物に用いることができる他の添加剤を添加することができる。具体的には、アルギン酸ナトリウム等の水溶性オリゴマー及び水溶性ポリマー、水溶性樹脂、酸化防止剤、紫外線吸収剤、防腐剤、防かび剤、防錆剤などを本発明のインク組成物に添加することができる。当業者は本発明の効果を損なわない範囲で、選択された好ましい添加剤を好ましい量で用いることができる。
【００５９】
本発明のブラックインク組成物は、そのｐＨが２０℃において７．０〜９．０であることが好ましく、７．４〜８．５であることがさらに好ましい。２０℃におけるインク組成物のｐＨを７．０以上にすることによってインクジェットヘッドの共析メッキが剥離することを防止することができ、かつインクジェットヘッドからのインク組成物の吐出特性を安定化することができる。また、ブラックインク組成物のｐＨを２０℃において９．０以下にすることによって、ブラックインク組成物が接触する各種の部材、たとえばインクカートリッジやインクジェットヘッドを構成する部材が劣化されることを防ぐことができる。
【００６０】
本発明においては、ブラックインク組成物にｐＨ調整剤を添加することによって、２０℃におけるブラックインク組成物のｐＨを好ましい値に調節することが好ましい。本発明において用いることができるｐＨ調整剤としては、例えば、水酸化リチウム、水酸化ナトリウム、及び水酸化カリウムなどのアルカリ金属水酸化物、トリエタノールアミン、ジエタノールアミン、及びトリプロパノールアミンなどのアミン類を用いることが好ましい。ブラックインク組成物へのｐＨ調整剤の添加量は、ブラックインク組成物のｐＨを上述の好ましい範囲に入れることができる量であり、その量は適宜定めることができる。
【００６１】
本発明のブラックインク組成物を調製するためには、たとえば、ブラックインク組成物に含有されるべき各成分を充分に混合して均一な溶液にした後、平均目開き０．８μｍのメンブランフィルターを用いて加圧濾過したのち、減圧下で脱泡する方法を用いることができる。
【００６２】
本発明のブラックインク組成物は一般の筆記具用、記録計用、ペンプロッター用等に使用することができるが、インクジェット記録方法に用いることが特に好ましい。本発明のブラックインク組成物を用いることができるインクジェット記録方法は、ブラックインク組成物を細いノズルから液滴として吐出させ、その液滴を記録媒体に付着させるいかなる記録方法も含む。本発明のブラックインク組成物を用いることができるインクジェット記録方法の具体例を以下に説明する。
【００６３】
第一の方法は静電吸引方式とよばれる方法である。静電吸引方式は、ノズルとノズルの前方に配置された加速電極との間に強電界を印加し、ノズルから液滴状のインクを連続的に噴射させ、そのインク滴が偏向電極間を通過する間に印刷情報信号を偏向電極に与えることによって、インク滴を記録媒体上に向けて飛ばしてインクを記録媒体上に定着させて画像を記録する方法、または、インク滴を偏向させずに、印刷情報信号に従ってインク滴をノズルから記録媒体上にむけて噴射させることにより画像を記録媒体上に定着させて記録する方法である。本発明のインク組成物はこの静電吸引方式による記録方法に用いることが好ましい。
【００６４】
第二の方法は、小型ポンプによってインク液に圧力を加えるとともに、インクジェットノズルを水晶振動子等によって機械的に振動させることによって、強制的にノズルからインク滴を噴射させる方法である。ノズルから噴射されたインク滴は、噴射されると同時に帯電され、このインク滴が偏向電極間を通過する間に印刷情報信号を偏向電極に与えてインク滴を記録媒体に向かって飛ばすことにより、記録媒体上に画像を記録する方法である。本発明のインク組成物はこの記録方法に用いることが好ましい。
【００６５】
第三の方法は、インク液に圧電素子によって圧力と印刷情報信号を同時に加え、ノズルからインク滴を記録媒体に向けて噴射させ、記録媒体上に画像を記録する方法である。本発明のインク組成物はこの記録方法に用いることが好ましい。
【００６６】
第四の方法は、印刷信号情報に従って微小電極を用いてインク液を加熱して発泡させ、この泡を膨張させることによってインク液をノズルから記録媒体に向けて噴射させて記録媒体上に画像を記録する方法である。本発明のインク組成物はこの記録方法に用いることが好ましい。
【００６７】
本発明の黒色水性インク組成物は、上述した４つの方法を含むインクジェット記録方式による画像記録方法を用いて記録媒体上に画像を記録する場合に用いるブラックインク組成物として特に好ましい。本発明のブラックインク組成物を用いて記録された記録物は優れた画質を有し、さらに耐光性及び耐オゾン性にも優れている。
【実施例】
【００６８】
以下に実施例に基づいて本発明をさらに具体的に説明するが、本発明は以下の実施例に限定されるものではない。
【００６９】
〔ブラックインク組成物の調製〕
以下の表１に示した配合比に基づき、各成分を混合して均一な溶液とした後、得られた溶液を平均目開き０．８μｍのメンブランフィルターを用いて加圧濾過して実施例１、２及び比較例１、２の各ブラックインク組成物を得た。
【００７０】
【表１】
2006225558.tif 000016
【００７１】
なお、表１中のブラック染料１は、以下の式（３）：
【化１５】
2006225558.tif 000017
で表される化合物のリチウム塩である。このブラック染料１は、前記式（１）及び式（２）で表される化合物のアルカリ金属塩の例である。
また、比較例２で使用するマゼンタ染料１は以下の式（１１）で表される化合物である。このマゼンタ染料１及びＣ．Ｉ．ダイレクトイエローＣ．Ｉ．１７３は、共に水溶性基のカウンターイオンがアンモニウムイオンであり、また、その水溶性が室温で約５ｗｔ％程度の染料である。
【化１６】
2006225558.tif 000018
【００７２】
〔試験用記録物の印刷〕
インクジェットプリンタ Stylus Color 880（商標）（商品名、セイコーエプソン株式
会社製）を用いて印刷試験を行った。このプリンタ用のブラックインク専用カートリッジに実施例１、２及び比較例１、２の各ブラックインク組成物をそれぞれ充填し、ＥＰＳＯＮ写真用紙（商品名、セイコーエプソン株式会社製、型番：ＫＡ４２０ＰＳＫ）に印刷を行って記録物を得た。印刷は、得られた画像のＯＤ（Optical Density）が０．９〜１．１の範囲に入るようにＤｕｔｙを調整して行った。得られた記録物を室温下で暗所に１日静置した後、記録された画像の耐光性及び耐ガス性（耐オゾン性）の各試験を以下のように行った。また、得られた記録物を用いて、画像の色相の測定も行った。なお、色相に関してはPUREMIUM MULTIPURPOSE 4024 PAPER （商品名、ＸＥＲＯＸ社製）を普通紙の一例として併せて評価した。
【００７３】
〔耐光性試験〕
耐光性試験は、蛍光灯耐光性試験機ＳＦＴ−ＩＩ（商品名、スガ試験機株式会社製）を使用し、温度が２４℃、湿度が６０ＲＨ％、照度７００００luxの条件下で、前記記録物
に２１日間、光照射することによって行った。反射濃度計Spectrolino（商標）(商品名、ＧＲＥＴＡＧ社製)を使用して、光照射前及び光照射後の記録物の画像のＯＤ値を測定し、下記計算式によりＲＯＤを算出した。ＯＤ値の測定は、光源がＤ５０、光源フィルタなし、絶対白を白色標準とし、視野角は２°で行った。
ＲＯＤ（％）＝（Ｄn／Ｄo）×１００
（式中、Ｄnは光照射試験終了後の画像のＯＤ値、Ｄoは光照射試験開始前の画像のＯＤ値）
前記式から算出して得られた測定値（ＯＤ値）から、光照射後の各記録物の画像の光学濃度残存率（Relict Optical Density:ＲＯＤ）を計算によって求めた。
【００７４】
得られたＲＯＤに基づき、以下の判定基準を用いて試験結果をＡ〜Ｄにランク付けすることによって記録物の耐光性を評価した。
Ａ：ＲＯＤが８０％以上。
Ｂ：ＲＯＤが６０％以上８０％未満
Ｃ：ＲＯＤが４０％以上６０％未満
Ｄ：ＲＯＤが４０％未満
ＲＯＤの値が高い方が光照射による画像の劣化が少なく好ましい。得られた結果を表２に示す。
【００７５】
〔耐ガス（耐オゾン）試験〕
オゾンウェザーメーターＯＭＳ−Ｈ型（商品名、スガ試験機株式会社製）を使用し、温度が２４℃、湿度が６０％ＲＨ、及びオゾン濃度が１０ｐｐｍの条件下で、前記記録物を２４時間オゾンに曝露した。反射濃度計Spectrolino（商標）（商品名、GRETAG社製）を
使用して、オゾン曝露前後の記録物のＯＤ値（Optical Density）を測定した。その測定は、光源がＤ５０、光源フィルタなしで、絶対白を白色標準とし、視野角は２°という条件で行った。前記耐光性試験における計算方法と同じ計算方法、及び前記耐光性試験における判定基準と同じ判定基準を用いて、得られた結果をＡ〜Ｄにランク付けすることにより記録物の耐オゾン性を評価した。得られた評価結果を前記耐光性試験結果とともに表２に示した。ＲＯＤの値が高いほうがオゾン曝露による画像の劣化が少ない。
【００７６】
【表２】
2006225558.tif 000019
表２に示した結果からわかるように、耐光性及び耐オゾン性に関しては本発明のブラックインク組成物（実施例１、２のインク組成物）も従来のブラックインク組成物（比較例１、２のインク組成物）もともに良好である。
【００７７】
〔インクの保存性試験〕
前記実施例１、２及び比較例１、２の各ブラックインク組成物を７０℃に６日間保持することにより保存性試験を行った。次に、試験を行う前のブラックインク組成物、及び前記試験を行った後のブラックインク組成物を、それぞれ超純水を用いて体積で２０００倍に希釈し、分光光度計を使用して吸光度を測定した。保存試験前のインク組成物の可視域での最大吸収波長（λｍａｘ）における吸光度を保存試験前後で比較し、保存試験による前記吸光度の変化を「残存率」として以下の計算式：
残存率（％）＝７０℃で６日間保持した後のインクの吸光度／初期のインクの吸光度    ×１００
を用いて計算した。前記式で算出される「残存率」が高いほどそのインクの保存安定性が良好であることを意味する。
得られた「残存率」の結果を表３に示す。なお、このときのインク保存性は下記のようにランク分けして評価した。
Ａ：残存率が９５％以上
Ｂ：残存率が９０％以上、９５％未満
Ｃ：残存率が８５％以上、９０％未満
Ｄ：残存率が８５％未満
【００７８】
【表３】
2006225558.tif 000020
表３からわかるように、ブラック染料１に加え、補色染料として少なくともＣ．Ｉ．ダイレクトレッド８９を含むブラックインク組成物（実施例１及び２のブラックインク組成物）の保存安定性は良好であるが、同じブラック染料１にＣ．Ｉ．ダイレクトレッド８９や、Ｃ．Ｉ．ダイレクトイエロー８６及び／又はＣ．Ｉ．ダイレクトイエロー１３２以外の補色染料を含有させる（比較例２のブラックインク組成物）とインクの保存安定性は大きく低下する。
なお、組成中に補色染料を含まない比較例１のブラックインク組成物では実施例のインク組成物と同様にインク保存性は良好であった。
【００７９】
〔ブラックインク組成物の色相〕
ブラックインク組成物の色相は、目視による画像の色相の評価を行い、最も無彩色に感じられるものを「最も好ましい色相」、ごくわずかにシアン味などの色味が感じられるものを「好ましい色相」とし、シアン、緑、紫の色が明らかに感じられるものをそれぞれ「シアン味」、「緑味」、「紫味」と表現した。得られた結果を表４に示す。
【００８０】
【表４】
2006225558.tif 000021
表４からわかるように、色相に関しては本発明のブラックインク組成物（実施例１、及び２）も、補色染料を含む比較例２のブラックインク組成物も、目視評価において少なくとも好ましい色相を有している。
【００８１】
〔ブラックインク組成物の目詰まり性〕
前記のインクカートリッジを用い、１０分間連続して印刷し、全てのノズルが正常に吐出していることを確認後、インクカートリッジを装着したまま、ノズルでの乾燥状態を加速するために、記録ヘッドをヘッドキャップから外した状態で、４０℃の環境に２週間放置した。放置後、全ノズルが初期と同等に吐出するまでクリーニング動作を繰り返し、以下の判断基準により、回復しやすさを評価し、その結果を表５に示した。
Ａ：１〜３回のクリーニング操作で初期と同等に回復。
Ｂ：４〜６回のクリーニング操作で初期と同等に回復。
Ｃ：７〜９回のクリーニング操作で初期と同等に回復。
Ｄ：１０〜１２回のクリーニング操作で初期と同等に回復。
【００８２】
【表５】
2006225558.tif 000022
表５からわかるように、本発明のブラックインク組成物（実施例１及び２）の目詰まり性は、補色染料としてＣ．Ｉ．ダイレクトレッド８９を含有しない比較例２のブラックインク組成物に比べて良好である。
なお、比較例１の目詰まり性が、実施例１及び２より良好なのは、補色染料（マゼンタ染料１及びＣ．Ｉ．ダイレクトイエロー１７３）の固形分が含まれていないためであり、比較例２の諸特性が悪いのは補色染料（マゼンタ染料１及びＣ．Ｉ．ダイレクトイエロー１７３）の水溶性が低いことと、補色染料の発色性が悪い分、固形分も多くなっているためである。
【００８３】
前記実施例及び比較例からもわかるように、ブラック染料１に添加される色相の調整のための補色染料として、Ｃ．Ｉ．ダイレクトレッド８９及びＣ．Ｉ．ダイレクトイエロー８６及び／又はＣ．Ｉ．ダイレクトイエロー１３２を用いた本発明のブラックインク組成物（実施例のインク組成物）は、少なくとも補色染料としてＣ．Ｉ．ダイレクトレッド８９が添加されていないブラックインク組成物（比較例のインク組成物）よりも画像保存性、インク保存性、色相、目詰まり性の総合的な観点において優れる。
【産業上の利用可能性】
【００８４】
本発明のブラックインク組成物は、普通紙をはじめ各種メディアに対しても優れた色相を有し、目詰まりが少なくて、しかも耐光性、耐オゾン性がよく保存安定性に優れていて、特にインクジェット記録方法に用いた場合に有用である外、一般の筆記具用、記録計用、ペンプロッター用等にも使用することができる。